(57)【要約】【課題】専用の変速装置で回転軸の回転速度を切換える場合に比べ、コストダウンを可能にするとともに、変速装置の配置スペースを不要にする。【解決手段】スプレッダ５は、排稈を切断する回転刃が設けられる回転軸７と、回転軸７と並列状に配置される駆動軸１２と、駆動軸１２に取付けられる第１プーリ１３と、回転軸７に取付けられる第２プーリ１４と、第１プーリ１３及び第２プーリ１４に懸回される伝動ベルト１５とを備え、第１プーリ１３と第２プーリ１４を、径が異なるプーリで構成するとともに、駆動軸１２及び回転軸７に対して取付可能とし、第１プーリ１３と第２プーリ１４の入れ換えにもとづいて、回転軸７の回転速度を高低２段に切換え、回転軸７を高速回転させて排稈を切断するスプレッダ作業と、回転軸７を低速回転させて排稈をそのまま放出するドロッパ作業とを選択可能にした。【選択図】図６
2015065859.tif 000002
【特許請求の範囲】
【請求項１】
汎用コンバインの機体後部に設けられ、脱穀部から排出される排稈を切断して圃場に拡散させるスプレッダであって、
前記排稈を切断する回転刃が設けられる回転軸と、
回転軸と並列状に配置される駆動軸と、
駆動軸に取付けられる第１プーリと、
回転軸に取付けられる第２プーリと、
第１プーリ及び第２プーリに懸回され、駆動軸の動力を回転軸に伝動する伝動ベルトとを備え、
第１プーリと第２プーリを、径が異なるプーリで構成するとともに、駆動軸及び回転軸に対して取付可能とし、第１プーリと第２プーリの入れ換えにもとづいて、回転軸の回転速度を高低２段に切換え、回転軸を高速回転させて排稈を切断するスプレッダ作業と、回転軸を低速回転させて排稈をそのまま放出するドロッパ作業とを選択可能にしたことを特徴とするスプレッダ。
【請求項２】
前記第１プーリ、第２プーリ及び伝動ベルトは、汎用コンバインの機体後部を覆う機体後部カバーの取り外しにより露出されることを特徴とする請求項１に記載のスプレッダ。
【発明の詳細な説明】
【技術分野】
【０００１】
本発明は、汎用コンバインの機体後部に設けられ、脱穀部から排出される排稈を切断して圃場に拡散させるスプレッダに関する。
【背景技術】
【０００２】
一般に、汎用コンバインに設けられるスプレッダは、排稈を切断する回転刃が設けられる回転軸と、回転軸と並列状に配置される駆動軸と、駆動軸に取付けられる第１プーリと、回転軸に取付けられる第２プーリと、第１プーリ及び第２プーリに懸回され、駆動軸の動力を回転軸に伝動する伝動ベルトとを備えて構成されている。
【０００３】
また、駆動軸と回転軸との間に変速装置を備え、この変速装置で回転軸の回転速度を変速することにより、スプレッダの作業形態を切換可能にしたスプレッダも知られている。例えば、特許文献１に示されるスプレッダは、回転軸の回転速度を高低２段に切換え、回転軸を高速回転させて排稈を切断するスプレッダ作業（チョッパ作業を含む）と、回転軸を低速回転させて排稈をそのまま放出するドロッパ作業とを選択可能にしている。
【先行技術文献】
【特許文献】
【０００４】
【特許文献１】特開２００２−１７１８２４号公報
【発明の概要】
【発明が解決しようとする課題】
【０００５】
しかしながら、特許文献１のスプレッダでは、回転軸の回転速度を専用の変速装置で変速しているので、変速装置の配置スペースを確保する必要があるだけでなく、コストが上昇するという問題があった。
【課題を解決するための手段】
【０００６】
本発明は、上記の如き実情に鑑みこれらの課題を解決することを目的として創作されたものであって、汎用コンバインの機体後部に設けられ、脱穀部から排出される排稈を切断して圃場に拡散させるスプレッダであって、前記排稈を切断する回転刃が設けられる回転軸と、回転軸と並列状に配置される駆動軸と、駆動軸に取付けられる第１プーリと、回転軸に取付けられる第２プーリと、第１プーリ及び第２プーリに懸回され、駆動軸の動力を回転軸に伝動する伝動ベルトとを備え、第１プーリと第２プーリを、径が異なるプーリで構成するとともに、駆動軸及び回転軸に対して取付可能とし、第１プーリと第２プーリの入れ換えにもとづいて、回転軸の回転速度を高低２段に切換え、回転軸を高速回転させて排稈を切断するスプレッダ作業と、回転軸を低速回転させて排稈をそのまま放出するドロッパ作業とを選択可能にしたことを特徴とする。
また、前記第１プーリ、第２プーリ及び伝動ベルトは、汎用コンバインの機体後部を覆う機体後部カバーの取り外しにより露出されることを特徴とする。
【発明の効果】
【０００７】
請求項１の発明によれば、第１プーリと第２プーリの入れ換えにもとづいて、回転軸の回転速度を高低２段に切換えるので、専用の変速装置で回転軸の回転速度を切換える場合に比べ、コストダウンが可能になるとともに、変速装置の配置スペースが不要になるという利点がある。
また、請求項２の発明によれば、第１プーリ、第２プーリ及び伝動ベルトは、汎用コンバインの機体後部を覆う機体後部カバーの取り外しにより露出されるので、第１プーリと第２プーリの入れ換え作業が容易になる。
【図面の簡単な説明】
【０００８】
【図１】汎用コンバインの要部右側面図である。
【図２】汎用コンバインの要部背面図である。
【図３】スプレッダへの伝動構造を示す汎用コンバインの内部右側面図である。
【図４】汎用コンバインの要部斜視図である。
【図５】スプレッダへの伝動構造を示す汎用コンバインの内部斜視図である。
【図６】（Ａ）はスプレッダ作業状態を示すスプレッダの側面図、（Ｂ）はドロッパ作業状態を示すスプレッダの側面図である。
【図７】プーリの着脱構造を示すスプレッダの側面斜視図である。
【図８】（Ａ）はスプレッダ右カバーの装着状態を示す要部斜視図、（Ｂ）はスプレッダ右カバーの取り外し状態を示す要部斜視図である。
【発明を実施するための形態】
【０００９】
以下、本発明の実施の形態について、図面に基づいて説明する。図１〜図５は、汎用コンバインの要部を示した図であり、図１、図２及び図４は、機体フレーム１に、茎稈から穀粒を脱穀して選別する脱穀部２と、選別された穀粒を貯溜する穀粒タンク３と、穀粒タンク３内の穀粒を機外に排出する排出オーガ４と、脱穀済みの排稈を切断して圃場に放出するスプレッダ５とを組み付けた状態を示し、茎稈を刈り取る刈取部、オペレータが乗車する運転部、クローラ式の走行部などは省略されている。また、図３及び図５は、さらに穀粒タンク３と排出オーガ４を外した状態を示しており、図示しないエンジンからスプレッダ５に至る動力伝動経路が示されている。
【００１０】
スプレッダ５は、汎用コンバインの機体後部に設けられ、脱穀部２から排出される排稈を受け入れる箱形状を有し、その左右側板６間には、回転刃（図示せず）が設けられる回転軸７が回転自在に架設されている。そして、回転軸７を回転駆動させると、脱穀部２から受け入れた排稈が回転軸７の回転刃で切断され、切断された排稈が放出口８の上下に設けられる放出ガイド９、１０に案内されながら圃場に放出される。なお、上側放出ガイド９の上方には、主に脱穀部２からの排風や塵埃を放出する排塵口１１が設けられている。
【００１１】
この種のスプレッダ５では、回転軸７の回転速度を高低２段に切換えることにより、回転軸７を高速回転させて排稈を切断するスプレッダ作業（チョッパ作業を含む）と、回転軸７を低速回転させて排稈をそのまま放出するドロッパ作業とを選択することができる。従来では、回転軸７の回転速度を高低２段に切換えるにあたり、スプレッダ５の伝動経路に専用の変速装置を設けていたが、この場合には、変速装置の配置スペースを確保する必要があるだけでなく、コストが上昇するという問題があった。本発明の実施形態に係るスプレッダ５は、専用の変速装置を設けることなく、回転軸７の回転速度を高低２段に切換えることを可能にするものである。以下、本発明の実施形態に係るスプレッダ５の動力伝動構成及び回転軸７の回転速度切換え構造について説明する。
【００１２】
スプレッダ５は、回転軸７と並列状に配置される駆動軸１２と、駆動軸１２に取付けられる第１プーリ１３と、回転軸７に取付けられる第２プーリ１４と、第１プーリ１３及び第２プーリ１４に懸回され、駆動軸１２の動力を回転軸７に伝動する伝動ベルト１５と、伝動ベルト１５に張力を付与するテンションアーム１６とを備える。スプレッダ５を装備した汎用コンバインでは、図３及び図５に示すように、エンジン出力軸１７に設けられる出力プーリ１８と、脱穀入力軸１９に設けられる入力プーリ２０との間に懸回される伝動ベルト２１や、脱穀入力軸１９に設けられる出力プーリ２２と、前記駆動軸１２に設けられる入力プーリ２３との間に懸回される伝動ベルト２４を介して、駆動軸１２にエンジンの動力が伝動され、この動力が第１プーリ１３、伝動ベルト１５及び第２プーリ１４を介して回転軸７に伝動される。そして、これらのベルト伝動機構は、脱穀部２の右側面及びスプレッダ５の右側面に沿って配置されている。
【００１３】
図６に示すように、第１プーリ１３と第２プーリ１４は、径が異なるプーリで構成されるとともに、駆動軸１２及び回転軸７に対して取付可能となっている。つまり、駆動軸１２に取付けられている第１プーリ１３を回転軸７に取付ける一方で、回転軸７に取付けられている第２プーリ１４を駆動軸１２に取付けることができる。このようにすると、第１プーリ１３と第２プーリ１４の入れ換えにもとづいて、プーリ比（減速比）が反転するので、回転軸７の回転速度を高低２段に切換えることが可能になる。これにより、回転軸７を高速回転させて排稈を切断するスプレッダ作業と、回転軸７を低速回転させて排稈をそのまま放出するドロッパ作業とを専用の変速装置を設けることなく選択的に切換えることが可能になる。
【００１４】
図７に示すように、第１プーリ１３及び第２プーリ１４は、４つの取付孔１３ａ、１４ａを有し、第１プーリ１３は、駆動軸１２に設けられる入力プーリ２３（又は入力プーリ２３に設けられる動力分岐プーリ）に４本のボルト２５を介して取付けられ、第２プーリ１４は、回転軸７に設けられるプーリボス２６に４本のボルト２５を介して取付けられる。本実施形態では、第１プーリ１３及び第２プーリ１４に形成される取付孔１３ａ、１４ａの位置を共通化することにより、第１プーリ１３と第２プーリ１４の入れ換えを可能にしている。なお、第１プーリ１３と第２プーリ１４の入れ換えに際し、伝動ベルト１５の交換は不要である。
【００１５】
図８に示すように、本実施形態では、第１プーリ１３、第２プーリ１４及び伝動ベルト１５が、汎用コンバインの機体後部を覆う機体後部カバーの取り外しにより露出されるようになっている。具体的には、スプレッダ５の右側後部を追おうスプレッダ右カバー２７を取り外すことにより、第１プーリ１３、第２プーリ１４及び伝動ベルト１５が露出し、第１プーリ１３と第２プーリ１４の入れ換え作業が可能になる。
【００１６】
叙述の如く構成された本実施形態によれば、汎用コンバインの機体後部に設けられ、脱穀部２から排出される排稈を切断して圃場に拡散させるスプレッダ５であって、排稈を切断する回転刃が設けられる回転軸７と、回転軸７と並列状に配置される駆動軸１２と、駆動軸１２に取付けられる第１プーリ１３と、回転軸７に取付けられる第２プーリ１４と、第１プーリ１３及び第２プーリ１４に懸回され、駆動軸１２の動力を回転軸７に伝動する伝動ベルト１５とを備え、第１プーリ１３と第２プーリ１４を、径が異なるプーリで構成するとともに、駆動軸１２及び回転軸７に対して取付可能とし、第１プーリ１３と第２プーリ１４の入れ換えにもとづいて、回転軸７の回転速度を高低２段に切換え、回転軸７を高速回転させて排稈を切断するスプレッダ作業と、回転軸７を低速回転させて排稈をそのまま放出するドロッパ作業とを選択可能にしたので、専用の変速装置で回転軸７の回転速度を切換える場合に比べ、コストダウンが可能になるとともに、変速装置の配置スペースが不要になるという利点がある。
【００１７】
また、第１プーリ１３、第２プーリ１４及び伝動ベルト１５は、汎用コンバインの機体後部を覆う機体後部カバー（スプレッダ右カバー２７）の取り外しにより露出されるので、第１プーリ１３と第２プーリ１４の入れ換え作業が容易になる。
【符号の説明】
【００１８】
２    脱穀部
３    穀粒タンク
４    排出オーガ
５    スプレッダ
７    回転軸
８    放出口
１２  駆動軸
１３  第１プーリ
１４  第２プーリ
１５  伝動ベルト
１６  テンションアーム
２７  スプレッダ右カバー
【図６】
2015065859.tif 000003
【図７】
2015065859.tif 000004
【図８】
2015065859.tif 000005
【図１】
2015065859.tif 000006
【図２】
2015065859.tif 000007
【図３】
2015065859.tif 000008
【図４】
2015065859.tif 000009
【図５】
2015065859.tif 000010